(57)【要約】      （修正有）【課題】簡単構造でかつ省スペースが特徴で、特に現在のスマートフォンまたはその他の携帯用電子機器に適合するための静電容量式タッチパネルを提供する。【解決手段】基材１０、ドライバＩＣ２０、ＩＴＯ回路、フレキシブル基板が備わり、特に、ドライバＩＣ２０は直接に基材１０上に実装され、そのリード線２１が基材１０の外に突き出されており、基材１０はガラスまたはフィルムであり、ＩＴＯ回路は単層または二層に設けられている。ドライバＩＣ２０を直接に基材１０の面に実装した構造にしたことで、タッチパネルのフレキシブル基板のサイズを非常に小さく抑えられ、フレキシブル基板に何本の配線のみ形成され、基板の片面だけで簡単に設計可能で、タッチパネル製品のコンパクト化を実現、製品設計の省スペース化が可能、設計と製造コストが削減できる。【選択図】図１
0003192817.tif 000002
【実用新案登録請求の範囲】
【請求項１】
基材、ドライバＩＣ、ＩＴＯ回路、フレキシブル基板が備わり、該ドライバＩＣは直接に基材上に実装され、そのリード線が基材の外に突き出されていることを特徴とする静電容量式タッチパネル。
【請求項２】
前記基材はガラスまたはフィルムであることを特徴とする請求項１に記載の静電容量式タッチパネル。
【請求項３】
前記ＩＴＯ回路は単層または二層に設けられることを特徴とする請求項２に記載の静電容量式タッチパネル。
【請求項４】
前記静電容量式タッチパネルは、スマートフォンまたは他の携帯用電子機器に用いられることを特徴とする請求項１に記載の静電容量式タッチパネル。
【請求項５】
前記ＩＴＯ回路は単層または二層に設けられていることを特徴とする請求項３に記載静電容量式タッチパネル。
【請求項６】
前記各ＩＴＯ配線は複数で、相互に交差するように配置されるが、電気的に接続されないＷ形の図形に設けられていることを特徴とする請求項３に記載の静電容量式タッチパネル。
【請求項７】
前記各ＩＴＯ配線は複数で、相互に交差するように配置されるが、電気的に接続されない長方形の図形に設けられていることを特徴とする請求項３に記載の静電容量式タッチパネル。
【請求項８】
前記該各ＩＴＯ配線は複数で、相互に交差するように配置されるが、電気的に接続されない卍形の図形に設けられていることを特徴とする請求項３に記載の静電容量式タッチパネル。
【請求項９】
前記各ＩＴＯ配線は複数で、相互に交差するように配置されるが、電気的に接続されない三角形の図形に設けられていることを特徴とする請求項３に記載の静電容量式タッチパネル。
【請求項１０】
前記各ＩＴＯ配線は複数で、相互に交差するように配置されるが、電気的に接続されない正方形の図形に設けられていることを特徴とする請求項２に記載の一元接触点位置検出の静電容量式タッチスクリーン／タッチパネル。
【請求項１１】
前記各ＩＴＯ配線は複数で、相互に交差するように配置されるが、電気的に接続されない波形の図形に設けられていることを特徴とする請求項２に記載の一元接触点位置検出の静電容量式タッチスクリーン／タッチパネル。
【請求項１２】
前記各ＩＴＯ配線は複数で、相互に交差するように配置されるが、電気的に接続されない三角形であるが、その中の一つのアングルがカーブになった不規則図形、または梯形に設けられていることを特徴とする請求項３に記載の静電容量式タッチパネル。
【考案の詳細な説明】
【技術分野】
【０００１】
本考案はタッチパネルの技術分野に関わり、特に、静電容量式タッチパネルに関する。
【背景技術】
【０００２】
静電容量式タッチパネルは一個のドライバＩＣが設けられており、従来の静電容量式タッチパネルでは、該ドライバＩＣがフレキシブル基板（ＦＰＣ）に設け、フレキシブル基板が更にガラス（ＧＬＡＳＳ）またはフィルム（ＦＩＬＭ）を基材とした面に実装されているから、フレキシブル基板は寸法が大きく、それをディスプレイモジュールと組み合わせるのにスペースがかかり、製品の設計が困難となり、製品全体の設計コストが上がっていくことになる。  
【考案の概要】
【考案が解決しようとする課題】
【０００３】
本考案は、従来の既存技術の不十分なところについて、簡単構造でかつ省スペースが特徴で、特に現在のスマートフォンまたはその他の携帯用電子機器に適合するための静電容量式タッチパネルを提供する。
【課題を解決するための手段】
【０００４】
上述した目的を達成させようとするため、本考案は基材、ドライバＩＣ、ＩＴＯ回路、フレキシブル基板が備わり、該ドライバＩＣは直接に基材上に実装され、そのリード線が基材の外に突き出されていることを特徴とする静電容量式タッチパネルの改良。
【０００５】
該基材は、ガラスまたはフィルムであることを特徴とする
【０００６】
該ＩＴＯ回路は単層または二層に設けられることを特徴とする。
【０００７】
該ＩＴＯ回路の各ＩＴＯ配線は、設定静電容量値が設けられ、相互に交差するように配置されているが、電気的に接続されない図形に設けられていることを特徴とする。
【０００８】
該ＩＴＯ配線で形成されている図形はＷ形、長方形、三角形、正方形、波形または三角形であるが、その中の一つのアングルがカーブになった不規則図形、または梯形に設けられていることを特徴とする。
【考案の効果】
【０００９】
本考案の静電容量式タッチパネルは、ドライバＩＣを直接に基材の面に実装した構造にしたことで、タッチパネルのフレキシブル基板のサイズを非常に小さく抑えられ、フレキシブル基板に何本の配線のみ形成され、基板の片面だけで簡単に設計可能で、タッチパネル製品のコンパクト化を実現、製品設計の省スペース化が可能、設計と製造コストが削減できる。
【図面の簡単な説明】
【００１０】
【図１】本考案の構造図。
【図２】本考案のもう一つの実施例構造図である。
【図３】図２の実施形態１のＩＴＯ回路図である。
【図４】図２の実施形態２のＩＴＯ回路図である。
【図５】図２の実施形態３のＩＴＯ回路図である。
【図６】図２の実施形態４のＩＴＯ回路図である。
【図７】図２の実施形態５のＩＴＯ回路図である。
【図８】図２の実施形態６のＩＴＯ回路図である。
【考案を実施するための形態】
【００１１】
次は、本考案の好適な実施例の説明のみに用いられ、それを以って、本考案の請求範囲を制限しないものとする。図１に示すのは、本考案の静電容量式タッチパネルの改良の具体的な構成であり、基材（１０）、ドライバＩＣ（２０）、ＩＴＯ回路、フレキシブル基板（未図示）などが備わり、該基材（１０）はガラスまたはフィルムであり、該ＩＴＯ回路は二層や単層に設けられてもよく、該ドライバＩＣ（２０）は直接に該基材（１０）上に実装され、そのリード線（２１）が該基材（１０）の外に突き出されている。
【００１２】
図２に示すのはもう一つの実施例の構造図であり、該タッチパネルは基材（１）、金属層（２）、タッチ制御ＩＣ（３）、及び光学透明接着剤（ＯＣＡ）（４）、ガラスパネル（５）が備わっており、該基材（１）はガラス（ＧＬＡＳＳ）またはフィルム（ＦＩＬＭ）であり、その上に単層のＩＴＯ回路（６）が設けられ、該ＩＴＯ回路（６）の各ＩＴＯ配線は設計静電容量値が設けられ、相互に交差するように配置されているが、電気的に接続されない図形に設けられている。
【００１３】
図３〜図８に示すように、該ＩＴＯ回路（６）の各ＩＴＯ配線は実施の時、次のような図形に設けられるが、図３は該各ＩＴＯ配線は複数で、相互に交差するように配置されるが、電気的に接続されないＷ形の図形（Ａ１〜Ａ４とＢ１〜Ｂ４）、図４は該各ＩＴＯ配線は、相互に交差するように配置されるが、電気的に接続されない長方形の図形（Ａ１〜Ａ４とＢ１〜Ｂ４）、図５は該各ＩＴＯ配線は、相互に交差するように配置されるが、電気的に接続されない三角形の図形（Ａ１〜Ａ４とＢ１〜Ｂ４，Ｃ１〜Ｃ４，Ｄ１〜Ｄ４）、図６は該各ＩＴＯ配線は複数で、相互に交差するように配置されるが、電気的に接続されない卍形の図形、図７は該ＩＴＯ配線は複数で、相互に交差するように配置されるが、電気的に接続されない正方形の図形、図８は該ＩＴＯ配線は複数で、相互に交差するように配置されるが、電気的に接続されない波形の図形に設けられている。
【００１４】
それ以外、該各ＩＴＯ配線は更に、複数で、相互に交差するように配置されるが、電気的に接続されない三角形であるが、その中の一つのアングルがカーブになった不規則図形、または梯形に設けられる。
【符号の説明】
【００１５】
１０        基材
２０        ドライバＩＣ
２１        リード線
１          基材
２          金属層
３          タッチ制御ＩＣ
４          光学透明接着剤（ＯＣＡ）
５          ガラスパネル
６          ＩＴＯ回路
【図１】
0003192817.tif 000003
【図２】
0003192817.tif 000004
【図３】
0003192817.tif 000005
【図４】
0003192817.tif 000006
【図５】
0003192817.tif 000007
【図６】
0003192817.tif 000008
【図７】
0003192817.tif 000009
【図８】
0003192817.tif 000010